(57)【要約】【課題】コジリに強く、ゴミの侵入を極力抑制できるコネクタを実現すること。【解決手段】複数の端子部３０を保持するコネクタハウジング２０の周囲に取り付けられるシールドケース１００であり、所定形状の金属板を折曲して形成される。上板部１１０及び底板部１２０間に連続する両側板部１３０、１４０には、実装される基板に固定される突出脚部１３２、１４２が突出している。突出脚部１３２、１４２は、底板部１２０における部位を切り曲げることによって形成されている。補強板部１６０は、上板部１１０に前方向で連続する第１折り返し部１１４を介して折り返されることによって、上板部１１０に重ねて配設されており、上板部１１０を補強する。被覆板部１５０は、底板部１２０に前方向で連続する第２折り返し部１２４を介して折り返されることによって、底板部１２０に重ねて配設されており、底板部１２０において切り曲げられてなる開口部を覆う。【選択図】図２
2013048064.tif 000002
【特許請求の範囲】
【請求項１】
複数の端子部を保持するコネクタハウジングの周囲に取り付けられる筒状のシールドケースであって、
所定形状の金属板を折曲して形成されてなり、
上板部及び底板部と、これら上板部及び底板部の両側端部間に連続して設けられた両側板部と、前記両側板部から突出して形成され、実装される基板に固定される突出脚部とを有し、
前記突出脚部は、前記両側板部に連続する部位であって前記上板部及び底板部のうち一方の板部における部位を切り曲げることによって前記両側板部に形成され、
前記上板部及び底板部のうち他方の板部に前後方向の一方向で連続する第１折り返し部を介して折り返されることによって、前記他方の板部に重ねて配設され、当該他方の板部を補強する補強板部と、
前記上板部及び底板部のうち前記一方の板部に前記一方向で連続する第２折り返し部を介して折り返されることによって、前記一方の板部に重ねて配設され、前記連続する部位を覆う被覆板部と、
を有する、
シールドケース。
【請求項２】
前記突出脚部は、前記両側板部において高さ方向の中央部からそれぞれ横方向に突出して形成される、
請求項１記載のシールドケース。
【請求項３】
前記被覆板部は、前記両側板部と、前記一方の底板部との接続部分を覆う、
請求項１又は２記載のシールドケース。
【請求項４】
請求項１から３のいずれか１項に記載のシールドケースと、
複数の端子部を保持し、前記端子部を覆うように、前記シールドケースが取り付けられるハウジングと、
を有するコネクタ。
【発明の詳細な説明】
【技術分野】
【０００１】
本発明は、コネクタのシールドケース及び、このシールドケースを備えるコネクタに関する。
【背景技術】
【０００２】
従来、デジタルカメラ等のポータブルＡＶ機器と、パーソナルコンピュータやアタッチメント等の電子機器同士はコネクタ同士を接続することによって行われる。
【０００３】
コネクタは、一般的に、相手コネクタの複数のコンタクトと対応する複数の端子部が配置された樹脂製のハウジングの外面を筒状のシールドケースで覆うことにより形成されている。
【０００４】
シールドケースは、導電性を有しており、小型化及びＥＭＩ（Electric Magnetic Interference）対策の為に金属板を折曲し、端部同士を突き合わせてカシメ加工を施して筒状に形成されることが一般的である（例えば、特許文献１参照）。
【０００５】
特許文献１に示すように、金属板からなる従来のシールドケースでは、両側板部から突出して、シールドケース自体を基板に実装するための実装用脚部が形成される。
【０００６】
これら実装用脚部は、金属板を折曲してシールドケースにおける両側板部と底板部とを形成する際に、両側板部の下端部となる部位から連続する底板部となる部分の一部を切り、両側板部から連続して下方に突出する位置に曲げることで形成される。この突出する実装用脚部を介して、シールドケースを備えるコネクタは、基板に実装される。
【先行技術文献】
【特許文献】
【０００７】
【特許文献１】特開２０１０−５５７６２号公報
【発明の概要】
【発明が解決しようとする課題】
【０００８】
ところで、従来のシールドケースの構成では、シールドケースを備えるコネクタに、相手コネクタを接続した状態で強くこじられた場合、強度不足によって歪み、接続する端部同士が外れてしまう虞がある。
【０００９】
また、金属板を折曲してなる従来のシールドケースでは、上述のように両側板部から下方に突出する実装用脚部が、底板部となる部分の一部を切り曲げることによって形成される。このため、筒状に形成されたシールドケースでは、底板部には、両側板部から突出する実装用脚部と隣り合う位置に、切り曲げられた後の開口部が形成される。これにより、シールドケースをコネクタに用いた場合、この開口部から内部にゴミが侵入してしまう虞がある。
【００１０】
よって、コジリに強く、ゴミの侵入を極力抑制して安定した機能を実現するシールドケースが望まれている。
【００１１】
本発明はかかる点に鑑みてなされたものであり、コジリに強く、ゴミの侵入を極力抑制できるシールドケース及びこれを備えるコネクタを提供することを目的とする。
【課題を解決するための手段】
【００１２】
本発明に係るシールドケースの一つの態様は、複数の端子部を保持するコネクタハウジングの周囲に取り付けられる筒状のシールドケースであって、所定形状の金属板を折曲して形成されてなり、上板部及び底板部と、これら上板部及び底板部の両側端部間に連続して設けられた両側板部と、前記両側板部から突出して形成され、実装される基板に固定される突出脚部とを有し、前記突出脚部は、前記両側板部に連続する部位であって前記上板部及び底板部のうち一方の板部における部位を切り曲げることによって前記両側板部に形成され、前記上板部及び底板部のうち他方の板部に前後方向の一方向で連続する第１折り返し部を介して折り返されることによって、前記他方の板部に重ねて配設され、当該他方の板部を補強する補強板部と、前記上板部及び底板部のうち前記一方の板部に前記一方向で連続する第２折り返し部を介して折り返されることによって、前記一方の板部に重ねて配設され、前記連続する部位を覆う被覆板部とを有する構成を採る。
【００１３】
本発明に係るコネクタの一つの態様は、上記構成のシールドケースと、複数の端子部を保持し、前記端子部を覆うように、前記シールドケースが取り付けられるハウジングとを有する構成を採る。
【発明の効果】
【００１４】
本発明によれば、コジリに強く、ゴミの侵入を極力抑制できる。
【図面の簡単な説明】
【００１５】
【図１】本発明の一実施の形態に係るシールドケースを備えるコネクタの斜視図
【図２】本発明の一実施の形態に係るシールドケースを備えるコネクタの正面図
【図３】本発明の一実施の形態に係るシールドケースを備えるコネクタの背面図
【図４】本発明の一実施の形態に係るシールドケースを備えるコネクタの平面図
【図５】本発明の一実施の形態に係るシールドケースを備えるコネクタの底面図
【図６】本発明の一実施の形態に係るシールドケースを備えるコネクタの右側面図
【図７】本発明の一実施の形態に係るシールドケースを備えるコネクタの左側面図
【図８】図２のＡ−Ａ線断面部分で図示した同コネクタと、接続相手であるコネクタとの嵌合状態を示す図
【図９】図２のＢ−Ｂ線矢視断面図
【図１０】本発明の一実施の形態に係るシールドケースの展開図
【発明を実施するための形態】
【００１６】
以下、本発明の実施の形態について、図面を参照して詳細に説明する。
【００１７】
図１は、本発明の一実施の形態に係るシールドケースを備えるコネクタの斜視図である。また、図２〜図７は、同シールドケースを備えるコネクタの六面図であり、図２は同コネクタの正面図、図３は同コネクタの背面図、図４は同コネクタの平面図、図５は、同コネクタの底面図、図６は同コネクタの右側面図、図７は同コネクタの左側面図である。なお、本実施の形態において前，後、左，右とは、相手コネクタが挿入される挿入口を前とし、その開口部を向かって見て、開口部の右側を、右、左側を左、挿入される方向の奥側を、後とするが、図示される姿勢に対応したものであり、相対的なものである。つまり、図示する姿勢の変化に応じて変更される。また、図８は、図２のＡ−Ａ線断面部分で図示した同コネクタと、接続相手であるコネクタとの嵌合状態を示す図である。
【００１８】
本実施の形態のコネクタ１０は、ここでは、汎用インターフェース規格（標準周辺インターフェース）であるmicro-USB(Universal Serial Bus)規格に準拠したmicro-USBレセプタクルコネクタとして説明する。
【００１９】
コネクタ１０は、例えば、携帯電話、ＰＤＡ（Personal Digital Assistant）、スマートフォン等の電子機器が備える回路基板に実装される。
【００２０】
コネクタ１０は、相手側コネクタであるプラグ２００（図８参照）と挿入口１０ａを介して嵌合して、前記回路基板とプラグに接続されたケーブルとを電気的に接続する。
【００２１】
コネクタ１０は、図１に示すように、合成樹脂等の絶縁性材料によって一体的に形成されたハウジング２０と、このハウジング２０の外面を被覆し、且つ、導電性の金属板を筒状に折曲してなるシールドケース１００と、を有する。
【００２２】
図９は、図２のＢ−Ｂ線矢視断面図である。
【００２３】
ハウジング２０は、図２及び図９に示すように、横並びの（横方向に並ぶ）複数の端子部３０を保持する先端部２２と、シールドケース１００に固定される基端部２４と、を有する。
【００２４】
基端部２４は、シールドケース１００の爪部１１２、１２２（図１及び図３〜５参照）によって固定されている。
【００２５】
図２及び図９に示す先端部２２は、シールドケース１００内の後端部に配置された基端部２４の前面から前方に突出して設けられた板状をなしており、接続相手であるプラグ２００（図８参照）内に挿入される。
【００２６】
図２に示すように、この先端部２２の下面側には、複数の端子部３０が、コネクタ１０の前後方向に沿って配置されている。
【００２７】
端子部３０は、嵌合相手である相手側コネクタのコンタクトに対応して配置されている。端子部３０は、コネクタ１０にプラグ２００（図８参照）が嵌合された際、つまり、ハウジング２０の先端部２２がプラグ２００内に挿入された際に、プラグ２００のコンタクト２１０に電気的に接触する。
【００２８】
端子部３０を囲むように、シールドケース１００が、ハウジング２０の外面に取り付けられている。
【００２９】
図１〜図９に示すシールドケース１００は、ここでは、ＳＵＳ（Steel Use Stainless）から形成されている。シールドケース１００は、所定形状の金属板を折曲することによって形成されており、主に、上板部１１０と、第１折り返し部１１４と、底板部１２０と、両側板部１３０、１４０と、突出脚部１３２、１４２と、被覆板部１５０と、第２折り返し部１２４と、補強板部１６０とを有する。
【００３０】
上板部１１０及び底板部１２０は、図２に示すように、端子部３０の上下に配置されており、ハウジング２０の外面を上下で覆う。また、これら上板部１１０及び底板部１２０の両側端部間には、ハウジング２０の両側面を覆う両側板部１３０、１４０が連続して形成されている。
【００３１】
上板部１１０には、接続相手コネクタであるプラグが嵌合した際に、図示しないプラグの爪部が係合する係合穴１１６が形成されている。また、係合穴１１６の前縁部は、図９に示すように、上板部１１０の上面から上方に突出するように湾曲した湾曲面部１１８により画成されている。この湾曲面部１１８により、コネクタ１０に嵌合したプラグ２００（図８参照）を引き抜く際に、プラグの爪部を、係合穴１１６から引き抜き易いように案内する。この係合穴１１６は、補強板部１６０に形成された貫通穴１６２に連通している。このようにプラグの爪部が係合する係合穴１１６の上部に、補強板部１６０の貫通穴１６２が配設されているため、シールドケース１００自体の天面は補強板部１６０の上面となっている。これにより、係合穴１１６に係合したプラグの爪部がシールドケース１００の天面より上方に突出することを防止できる。よって、図９に示すようにコネクタ１０を実装した基板をケースに収納し、このケースの面材１２でシールドケース１００の天面を構成する補強板部１６０を押さえる際に、プラグの爪部の逃げを考慮することなく、フラットで押さえることができる。これにより、収容されるケース等の部材を用いてコネクタ１０自体の強度を容易に向上させることができる。
【００３２】
補強板部１６０は、上板部１１０の前端に形成された第１折り返し部１１４を介して折り返されてなり、上板部１１０上に、当該上板部１１０を覆うように重ねて配設されている。
【００３３】
この補強板部１６０により上板部１１０は、補強されることとなり、シールドケース１００自体の強度の向上を図っている。なお、補強板部１６０は矩形板状をなす本体部分と、本体部分から後方に延出された延出板部１６６（図１参照）とを有し、これらにより上板部１１０の略全面を被覆している。
【００３４】
両側板部１３０、１４０には、底板部１２０において、両側板部１３０、１４０と連続する部位を切り曲げてなる突出脚部１３２、１３４、１４２、１４４が、それぞれ、横方向（左右方向）に突出して形成されている。
【００３５】
これら突出脚部１３２、１３４、１４２、１４４は、コネクタ１０を実装する基板に固定されるものである。詳細には、左右方向に突出する各突出脚部１３２、１３４、１４２、１４４の先端は、下方に折曲されており、基板に形成された穴部に挿入してディップ実装される。
【００３６】
また、これら突出脚部１３２、１３４、１４２、１４４は、それぞれシールドケース１００の両側板部１３０、１４０において上下方向の中央部分から外方に突出して形成されている。すなわち、シールドケース１００は、コネクタ１０を基板にミッドマウント（基板落とし込み）実装させる。これによりコネクタ１０は、基板に対して、上板部１１０及び底板部１２０の間の上下高さに位置で実装される。
【００３７】
これら突出脚部１３２、１３４、１４２、１４４のうち、突出脚部１３２、１４２が、底板部１２０から切り曲げられることによって、底板部１２０において突出脚部１３２、１４２に隣接する部位には開口部が形成される。これら開口部は、図５〜図７に示すように、底板部１２０の前端に設けられた第２折り返し部１２４に連続して形成された被覆板部１５０（左右被覆板１５２、１５４）により被覆されている（図５〜図７参照）。
【００３８】
底板部１２０は、図５に示すように、シールドケース１００を構成する金属板の両端部同士の接合部１２０ａを有する。この接合部１２０ａは、底板部１２０の横方向の中央部に前後に亘って配置され、金属板の一方の端部に形成された複数の凹部と他方の端部に形成された複数の凸部とを係合してかしめることで形成されている。このかしめにより接合部１２０ａは強固に接合されるものとなっている。
【００３９】
被覆板部１５０は、図２及び図５〜図７に示すように、底板部１２０の両側で、当該底板部１２０に重ねて配置された左被覆板１５２と、右被覆板１５４とを有する。
【００４０】
左被覆板１５２及び右被覆板１５４は、底板部１２０の前端の第２折り返し部１２４を介して底板部１２０の下面に折り返されてなり、当該底板部１２０の下面において左右で離間して配設されている。
【００４１】
左被覆板１５２及び右被覆板１５４は、それぞれ互いに離間する方向に張り出した張り出し板部１５２ａ、１５４ａにより、それぞれ底板部１２０と両側板部１３０、１４０間に形成された開口部１７１、１７２（図１０参照）を閉塞している。
【００４２】
すなわち、左被覆板１５２は、底板部１２０において突出脚部１３２が切り起こされた部位を下方から覆うとともに、張り出し板部１５２ａにより、左側板部１３０において、突出脚部１３２が切り起こされた底板部１２０の部位に連続する部位を下方から覆う。つまり、左被覆板１５２は、張り出し板部１５２ａを用いて、左側板部１３０において突出脚部１３２の下方に隣接して、且つ、左側板部１３０及び底板部１２０に亘って形成される開口部１７１（図１０参照）を下方から覆う。
【００４３】
また、右被覆板１５４は、底板部１２０において突出脚部１４２が切り起こされた部位を下方から覆うとともに、張り出し部１５４ａを用いて、右側板部１４０において突出脚部１４２が切り起こされた底板部１２０の部位に連続する部位を下方から覆う。つまり、右被覆板１５４は、張り出し部１５４ａを用いて、右側板部１４０において突出脚部１４２の下方に隣接して、且つ、右側板部１４０及び底板部１２０に亘って形成される開口部１７２（図１０参照）を下方から覆う。
【００４４】
このようにシールドケース１００を備えるコネクタ１０では、被覆板部１５０である左被覆板１５２及び右被覆板１５４によって、突出脚部１３２、１４２の切り曲げ加工によって底板部１２０に形成される開口部が閉塞される。これにより、底板部１２０側からコネクタ１０の内部への開口部を介したゴミ（半田実装時に用いられるフラックスの飛びはね等）の進入を防ぐことができ、コネクタ１０は安定した機能を有するものとなる。
【００４５】
このようにシールドケース１００を備えるコネクタ１０によれば、補強板部１６０により上板部１１０を覆うように重ねて配設された補強板部１６０によって上板部１１０が補強されるとともに、左右被覆板部１５２、１５４によって、左右の両側板部１３０、１４０と底板部１２０との接続部分が覆われることにより強度の向上が図られている。これにより、従来と異なり、シールドケース１００を備えるコネクタ１０に、相手コネクタを接続した状態で強くこじられても歪むことが無い。
【００４６】
また、左右被覆板１５２、１５４によって、底板部１２０から突出脚部１３２、１４２を切り曲げることにより開口部が形成されても、この開口部を閉塞することができ、シールドケース１００、コネクタ１０の内部へ底板部１２０からゴミが侵入することを防止できる。このように、コジリに強く、ゴミの侵入を極力抑制して安定した機能を実現できる。
【００４７】
このように構成されるシールドケース１００は、所定形状の一枚の金属板を折曲することで形成される。
【００４８】
図１０は、本発明の一実施の形態に係るシールドケース１００の展開図である。なお、図１は、折曲されることでシールドケース１００を形成する所定形状の金属板１００Ａの平面図である。この図において、シールドケース１００を形成した際に対応する部位には、便宜上、同符号で、対応する名称を付して説明する。
【００４９】
図１０に示す金属板１００Ａを折曲することで、図１〜図９に示すシールドケース１００は形成される。
【００５０】
図１０に示すように、金属板１００Ａでは、上板部１１０の両側端部のそれぞれに左側板部１３０及び右側板部１４０が連続して左右方向に並んで設けられている。
【００５１】
また、上板部１１０の前端には、第１折り返し部１１４を介して補強板部１６０が延設されている。
【００５２】
また、左側板部１３０には、左側板部１３０の延在方向に連続して底板部１２０の左半分を形成する左底面形成部１２０ｂが設けられている。他方、右側板部１４０には、右側板部１４０の延在方向に連続して底板部１２０の右半分を形成する右底面形成部１２０ｃが設けられている。なお、これら左底面形成部１２０ｂ及び右底面形成部１２０ｃの端部同士を付き合わせて接合することで接合部１２０ａ（図５参照）となる。これら左側板部１３０と左底面形成部１２０ｂとに亘って突出脚部１３２となる切り起こし部が形成され、右側板部１４０と右底面形成部１２０ｃとに亘って突出脚部１４２となる切り起こし部が形成されている。
【００５３】
また、左底面形成部１２０ｂ及び右底面形成部１２０ｃの前端には第２折り返し部１２４を介して左被覆板１５２、右被覆板１５４が、補強板部１６０の延出方向と同方向に延出して設けられている。
【００５４】
このように、折曲されることによってシールドケース１００となる金属板１００Ａでは、折曲されて筒状をなす上板部１１０、両側板部１３０、１４０及び左右底板形成部１２０ｂ、１２０ｃが一方向（ここでは左右方向）に長い帯状体となっている。そして、この帯状体から、長手方向と直交する方向に補強板部１６０、左被覆板１５２、右被覆板１５４が延出された状態で形成され、これら補強板部１６０、左被覆板１５２、右被覆板１５４は帯状体の長手方向に並んで配設されている。
【００５５】
よって、シールドケース１００となる所定形状の金属板１００Ａを、金属板１００Ａを含む略矩形状の金属板を加工することで形成できる。よって、金属板から金属板１００Ａを加工して成形する際に、切断、廃棄する部分を極力減少させて、所定形状の金属板１００Ａ、つまり、上記効果を有するシールドケース１００を効率よく形成できる。
【００５６】
また、本実施の形態におけるシールドケース１００は、リバース式のコネクタのシールドケースにも適用できることは勿論である。
【００５７】
なお、上記本発明は、本発明の精神を逸脱しない限り、種々の改変をなすことができ、そして本発明が該改変させたものに及ぶことは当然である。
【産業上の利用可能性】
【００５８】
本発明に係るシールドケース及びコネクタは、コジリに強く、ゴミの侵入を極力抑制できる効果を有するコネクタに用いられるものとして有用である。
【符号の説明】
【００５９】
１０  コネクタ
２０  ハウジング
３０  端子部
１００  シールドケース
１００Ａ  金属板
１１０  上板部
１１４  第１折り返し部
１２０  底板部
１２０ｂ  左底面形成部
１２０ｃ  右底面形成部
１２４  第２折り返し部
１３０  左側板部
１３２、１３４、１４２、１４４  突出脚部
１４０  右側板部
１５０  被覆板部
１５２  左被覆板
１５２ａ、１５４ａ  張り出し板部
１５４  右被覆板
１６０  補強板部
１７１、１７２  開口部
２００  プラグ
２１０  コンタクト
【図１】
2013048064.tif 000003
【図２】
2013048064.tif 000004
【図３】
2013048064.tif 000005
【図４】
2013048064.tif 000006
【図５】
2013048064.tif 000007
【図６】
2013048064.tif 000008
【図７】
2013048064.tif 000009
【図８】
2013048064.tif 000010
【図９】
2013048064.tif 000011
【図１０】
2013048064.tif 000012